(57)【要約】  本発明は、発電装置の発電電力に基づき、蓄電池に充電させる充電電力及び／又は蓄電池に出力させる出力電力を特定する特定部（１１）と、発電装置と複数の蓄電池との位置関係に基づき、充電電力を充電させる及び／又は出力電力を出力させる蓄電池である制御対象蓄電池を決定する決定部（１２）とを有する制御装置（１０）を提供する。
2017163655.tif 000002
【特許請求の範囲】
【請求項１】
発電装置の発電電力に基づき、蓄電池に充電させる充電電力及び／又は前記蓄電池に出力させる出力電力を特定する特定手段と、
前記発電装置と複数の前記蓄電池との位置関係に基づき、前記充電電力を充電させる及び／又は前記出力電力を出力させる前記蓄電池である制御対象蓄電池を決定する決定手段とを有する制御装置。
【請求項２】
請求項１に記載の制御装置において、
前記決定手段は、前記発電装置と前記複数の蓄電池それぞれとの間の距離の大きさに基づいて、前記制御対象蓄電池を決定する制御装置。
【請求項３】
請求項１または２に記載の制御装置において、
前記決定手段は、前記発電装置と前記複数の蓄電池それぞれとの間の距離が近い順に、前記制御対象蓄電池を決定する制御装置。
【請求項４】
請求項１に記載の制御装置において、
前記決定手段は、前記発電装置が複数ある場合、複数の前記発電装置に対して定められた所定位置と複数の前記蓄電池との位置関係に基づき、前記制御対象蓄電池を決定する制御装置。
【請求項５】
請求項４に記載の制御装置において、
前記所定位置は、前記複数の発電装置ごとの余剰電力または不足電力の大きさに基づいて定められている制御装置。
【請求項６】
請求項１に記載の制御装置において、
前記決定手段は、前記発電装置が複数ある場合、順次、１つの前記発電装置と前記複数の蓄電池との位置関係に基づき、前記制御対象蓄電池を決定する制御装置。
【請求項７】
請求項６に記載の制御装置において、
前記決定手段は、前記複数の発電装置ごとの余剰電力または不足電力の大きさの順に、前記制御対象蓄電池を決定する制御装置。
【請求項８】
請求項１から７のいずれか一項に記載の制御装置において、
前記発電装置や前記蓄電池が接続する配電網は、開閉器により複数の区間に分けられており、
前記決定手段は、前記発電装置が接続する前記区間と前記蓄電池が接続する前記区間との位置関係に基づいて制御対象蓄電池を決定する制御装置。
【請求項９】
請求項８に記載の制御装置において、
前記決定手段は、前記発電装置と同じ前記区間に接続されている前記蓄電池を前記制御対象蓄電池として決定する制御装置。
【請求項１０】
請求項８に記載の制御装置において、
前記決定手段は、前記発電装置が接続している区間とは異なる区間に接続されている前記蓄電池を前記制御対象蓄電池として決定する制御装置。
【請求項１１】
請求項１０に記載の制御装置において、
前記決定手段は、前記発電装置が接続されている前記区間に電力を供給している配電所と同じ配電所から電力を供給されている区間に接続されている前記蓄電池を前記制御対象蓄電池として決定する制御装置。
【請求項１２】
請求項１０に記載の制御装置において、
前記決定手段は、前記発電装置が接続されている前記区間との距離が近い区間に接続する前記蓄電池から順に前記制御対象蓄電池として決定する制御装置。
【請求項１３】
請求項１に記載の制御装置において、
前記発電装置及び前記蓄電池が設置されるエリアは、住所に基づき複数の子エリアに分けられており、
前記決定手段は、前記発電装置と同じ前記子エリアに設置されている前記蓄電池を前記制御対象蓄電池として決定する制御装置。
【請求項１４】
複数の蓄電池を管理する制御装置において実行される制御方法であり、
発電装置の発電電力に基づき、蓄電池に充電させる充電電力及び／又は前記蓄電池に出力させる出力電力を特定し、
前記発電装置と複数の前記蓄電池との位置関係に基づき、前記充電電力を充電させる及び／又は前記出力電力を出力させる前記蓄電池である制御対象蓄電池を決定する制御方法。
【請求項１５】
コンピュータが、
発電装置の発電電力に基づき、蓄電池に充電させる充電電力及び／又は前記蓄電池に出力させる出力電力を特定し、
複数の前記蓄電池の中から、前記充電電力を充電させる及び／又は前記出力電力を出力させる前記蓄電池である制御対象蓄電池を、前記発電装置との間の位置関係に基づき決定するプログラム。
【発明の詳細な説明】
【技術分野】
【０００１】
本発明は、制御装置、制御方法及びプログラムに関する。
【背景技術】
【０００２】
太陽光発電装置や風力発電装置などの再生可能エネルギーを用いて発電する発電装置（以下「再エネ電源」とも称する）が知られている。そして、電力会社が再エネ電源にて発電された電力を固定価格で買い取ることを義務づけたＦＩＴ（固定価格買取）が始まったことも一因となって、電力系統に接続された再エネ電源が急激に増えてきている。【０００３】
電力系統に接続された再エネ電源が増えると、電力供給が電力需要に対して過多となる状況が想定される。この状況を回避する手法として、再エネ電源の発電電力を抑制（出力抑制）する手法が考えられる。【０００４】
特許文献１には、出力抑制が発電装置に通知されると、電気温水器が炊き上げ可能な場合、余剰電力（抑制対象の電力）を炊き上げに用いる技術が開示されている。
【先行技術文献】
【特許文献】
【０００５】
【特許文献１】特開２０１５−１０６９３７号公報
【発明の概要】
【発明が解決しようとする課題】
【０００６】
特許文献１の発明は、発電装置と電気温水器とが併設されている場合を想定しており、併設されている電気温水器が炊き上げできない状態である場合、余剰電力を消費（利用）することができない。【０００７】
つまり特許文献１は、広域に分散した蓄電池による余剰電力の消費に関する記載がされていない。そのため、蓄電池を適切に選択しないと電圧や周波数の変動が発生してしまい、配電網に接続されている発電装置から配電網への逆潮流ができない状態や、当該電力で動作する電気機器に影響を与えてしまうという問題がある。【０００８】
本発明は、電圧の増加や周波数の変動の発生を抑制する技術を提供することを課題とする。
【課題を解決するための手段】
【０００９】
本発明によれば、
発電装置の発電電力に基づき、蓄電池に充電させる充電電力及び／又は前記蓄電池に出力させる出力電力を特定する特定手段と、
前記発電装置と複数の前記蓄電池との位置関係に基づき、前記充電電力を充電させる及び／又は前記出力電力を出力させる前記蓄電池である制御対象蓄電池を決定する決定手段とを有する制御装置が提供される。【００１０】
また、本発明によれば、
複数の蓄電池を管理する制御装置において実行される制御方法であり
発電装置の発電電力に基づき、蓄電池に充電させる充電電力及び／又は前記蓄電池に出力させる出力電力を特定し、
前記発電装置と複数の前記蓄電池との位置関係に基づき、前記充電電力を充電させる及び／又は前記出力電力を出力させる前記蓄電池である制御対象蓄電池を決定する制御方法が提供される。【００１１】
また、本発明によれば、
コンピュータが、
発電装置の発電電力に基づき、蓄電池に充電させる充電電力及び／又は前記蓄電池に出力させる出力電力を特定し、
複数の前記蓄電池の中から、前記充電電力を充電させる及び／又は前記出力電力を出力させる前記蓄電池である制御対象蓄電池を、前記発電装置との間の位置関係に基づき決定するプログラムが提供される。
【発明の効果】
【００１２】
本発明によれば、電圧の増加や周波数の変動の発生を抑制することができる。
【図面の簡単な説明】
【００１３】
上述した目的、およびその他の目的、特徴および利点は、以下に述べる好適な実施の形態、およびそれに付随する以下の図面によってさらに明らかになる。【００１４】
【図１】本実施形態の装置のハードウエア構成の一例を概念的に示す図である。
【図２】本実施形態の制御システムの全体像を説明するための図である。
【図３】本実施形態の制御装置の機能ブロック図の一例である。
【図４】本実施形態の制御装置が扱う情報の一例を模式的に示す図である。
【図５】本実施形態の制御装置が扱う情報の一例を模式的に示す図である。
【図６】本実施形態の制御装置の処理の一例を説明するための図である。
【図７】本実施形態の制御装置が扱う情報の一例を模式的に示す図である。
【図８】本実施形態の制御装置が扱う情報の一例を模式的に示す図である。
【図９】本実施形態の制御装置の処理の流れの一例を示すフローチャートである。
【図１０】本実施形態の制御装置が扱う情報の一例を模式的に示す図である。
【図１１】本実施形態の制御装置の処理の流れの一例を示すフローチャートである。
【図１２】本実施形態の制御装置の処理の流れの一例を示すフローチャートである。
【図１３】本実施形態の制御装置の処理の流れの一例を示すフローチャートである。
【図１４】本実施形態の制御システムの適用例を説明するための図である。
【発明を実施するための形態】
【００１５】
まず、本実施形態の装置（制御装置）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１６】
図１は、本実施形態の装置のハードウエア構成を例示するブロック図である。図１に示すように、装置は、プロセッサ１Ａ、メモリ２Ａ、入出力インターフェイス３Ａ、周辺回路４Ａ、バス５Ａを有する。周辺回路には、様々なモジュールが含まれる。
【００１７】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、外部装置、外部サーバ、外部センサー等から情報を取得するためのインターフェイスなどを含む。プロセッサ１Ａは、各モジュールに指令を出し、それらの演算結果をもとに演算を行う。
【００１８】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００１９】
＜第１の実施形態＞
まず、図２を用いて、本実施形態の制御システムの全体像を説明する。図示するように、制御システムは、制御装置１０と、複数の蓄電池２０と、複数の発電装置３０とを有する。実線で通信線（インターネット等のネットワーク）を示し、点線で電力線を示している。通信線で繋がった装置群は、互いに情報の送受信が可能となっている。
【００２０】
発電装置３０は、自然エネルギー（太陽光、風力、地熱等）を利用して発電する装置である。蓄電池２０は、電力の充電及び電力の出力（放電）を行う装置である。蓄電池２０及び発電装置３０の構成は、あらゆる構成を採用できる。
【００２１】
本実施形態では、事前に、発電装置３０の発電抑制情報が決定する。例えば、前日に、翌日分の発電抑制情報が決定する。制御装置１０は、管理対象の発電装置３０各々の発電抑制情報及び当日（発電抑制対象日）の発電予測に基づき、当日に管理対象の蓄電池２０に充電させる電力［Ｗ］及び電力量［Ｗｈ］を特定する。ここでは、当日の予測発電電力［Ｗ］及び予測発電電力量［Ｗｈ］の中の抑制対象（余剰電力及び余剰電力量）を、管理対象の蓄電池２０に充電させる電力［Ｗ］及び電力量［Ｗｈ］として特定する。発電抑制情報が「発電停止（出力０）」である場合、予測発電電力［Ｗ］及び予測発電電力量（Ｗｈ）の全てが、抑制対象となる。この場合、予測発電電力［Ｗ］及び予測発電電力量（Ｗｈ）の全てが、管理対象の蓄電池２０に充電させる電力［Ｗ］及び電力量［Ｗｈ］として特定される。
【００２２】
管理対象の蓄電池２０に充電させる電力［Ｗ］及び電力量［Ｗｈ］を特定した後、制御装置１０は、特定した上記電力［Ｗ］分及び電力量［Ｗｈ］分を充電させる蓄電池２０を、充電処理を制御可能な複数の蓄電池２０の中から決定する。制御装置１０は、余剰電力を発生している発電装置３０との間の位置関係に基づき、充電させる蓄電池２０を決定する。位置関係に基づき適切な蓄電池２０を決定することで、配電網の安定性に寄与する。以下、制御装置１０の構成を詳細に説明する。
【００２３】
図３に、制御装置１０の機能ブロック図の一例を示す。図示するように、制御装置１０は、特定部１１と、決定部１２とを有する。
【００２４】
まず、制御装置１０には、管理対象の複数の蓄電池２０と、管理対象の複数の発電装置３０とが登録されている。管理対象の複数の発電装置３０による余剰電力を、管理対象の複数の蓄電池２０で充電する。
【００２５】
図４に示すように、管理対象の複数の蓄電池２０各々の設置位置が、制御装置１０に記憶される。また、図５に示すように、管理対象の複数の発電装置３０各々の設置位置が、制御装置１０に記憶される。
【００２６】
図３に戻り、特定部１１は、管理対象の発電装置３０の発電電力に基づき、管理対象の蓄電池２０に充電させる充電電力を特定する。本実施形態の特定部１１は、管理対象の発電装置３０に対する発電抑制情報、及び、発電抑制されるタイミングにおける発電装置３０の発電予測に基づき、管理対象の蓄電池２０に充電させる充電電力を特定する。
【００２７】
発電抑制情報は、事前に、配電網の管理者により決定される。例えば、前日に、翌日分の発電抑制情報が決定する。発電抑制の内容としては、例えば、「発電停止（出力０）」が考えられる。この場合、発電抑制情報は、このような内容の発電抑制を実施する発電抑制時間帯（例：○○月××日、○○月××日の△△時から□□時まで）を含む。
【００２８】
その他、発電抑制の内容としては、「発電停止」に代えて、「出力上限値」を定める例が考えられる。このような場合、発電抑制情報は、発電抑制内容（例：「出力上限値：定格出力の△△％」等）、及び、発電抑制時間帯を含む。出力上限値は、発電抑制時間帯すべてにおいて共通の値であってもよいし、所定時間毎（例：３０分毎）に定められてもよい。
【００２９】
特定部１１は、管理対象の発電装置３０各々に対する発電抑制情報を取得する。例えば、配電網の管理者は、発電装置３０各々に（発電装置３０の管理者各々に）、発電抑制情報を通知してもよい。そして、特定部１１は、管理対象の発電装置３０各々から（管理対象の発電装置３０の管理者各々から）、各々の発電抑制情報を取得してもよい。その他、事前に、配電網の管理者に、制御装置１０に登録されている発電装置３０を識別する情報が通知されていてもよい。そして、配電網の管理者は、制御装置１０に対して、当該制御装置１０に登録されている発電装置３０各々に対する発電抑制情報を送信してもよい。その他、制御装置１０のオペレータが、任意の手段で、管理対象の発電装置３０各々に対する発電抑制情報を制御装置１０に入力してもよい。
【００３０】
また、特定部１１は、管理対象の発電装置３０の中の少なくとも一部の発電予測を取得する。特定部１１は、少なくとも、発電抑制情報を通知された発電装置３０の発電予測を取得する。特定部１１は、発電抑制情報を通知された発電装置３０各々から各々の発電予測を取得してもよい。その他、特定部１１が、発電抑制情報を通知された発電装置３０各々の発電予測を生成してもよい。その他、制御装置１０のオペレータが、任意の手段で、発電抑制情報を通知された発電装置３０各々の発電予測を制御装置１０に入力してもよい。
【００３１】
発電予測は、発電抑制情報で特定される発電抑制時間帯における発電予測である。例えば、発電抑制時間帯における発電電力［Ｗ］の時間変化を示す情報であってもよい。当該情報に基づき、発電抑制される電力量［Ｗｈ］を算出することができる。発電抑制される電力量［Ｗｈ］は、発電抑制時間帯における電力量［Ｗｈ］でもよい。
【００３２】
特定部１１は、上記発電抑制情報及び発電予測に基づき、当日（発電抑制される日）に管理対象の蓄電池２０に充電させる充電電力［Ｗ］及び充電電力量［Ｗｈ］を特定する。例えば、特定部１１は、発電予測で示される予測発電電力［Ｗ］及び予測発電電力量［Ｗｈ］の中の抑制対象（余剰電力及び余剰電力量）を、管理対象の蓄電池２０に充電させる電力［Ｗ］及び電力量［Ｗｈ］として特定する。抑制対象は、発電抑制情報に基づき特定される。
【００３３】
例えば、発電抑制情報が「発電抑制時間帯の間、発電停止（出力０）」である場合、発電抑制時間帯の間の各タイミングにおける予測発電電力［Ｗ］が、各タイミングにおいて管理対象の蓄電池２０に充電させる充電電力［Ｗ］として特定される。また、発電抑制時間帯における予測発電電力量（Ｗｈ）が、管理対象の蓄電池２０に充電させる充電電力量［Ｗｈ］として特定される。
【００３４】
また、発電抑制情報が「定格出力の△△％」等のように出力上限値を定めている場合、予測発電電力が出力上限値を超えた際、予測発電電力と出力上限値との差分を余剰電力とし、予測発電電力が出力上限値を超えている時間における余剰電力の電力量を余剰電力量とする。この余剰電力と余剰電電力量を蓄電池２０に充電させる電力［Ｗ］及び電力量［Ｗｈ］とする。
【００３５】
具体的には、出力上限値が定格の５０％の場合、予測発電電力が定格出力の５０％以上の発電電力を余剰電力とし、予測発電電力が定格出力の５０％を超えている時間における余剰電力の電力量を余剰電力量とする。そしてこの余剰電力、余剰電力量を蓄電池２０に充電させる電力［Ｗ］及び電力量［Ｗｈ］とする。
【００３６】
図３に戻り、決定部１２は、複数の管理対象の蓄電池２０の中から、特定部１１が特定した充電電力を充電させる蓄電池２０（制御対象蓄電池）を、発電抑制情報を通知された発電装置３０（余剰電力を発生する発電装置３０）と複数の管理対象の蓄電池２０それぞれとの間の位置関係に基づき決定する。例えば、決定部１２は、発電装置３０が接続する区間と蓄電池２０が接続する区間との位置関係に基づいて制御対象蓄電池を決定する。以下、発電抑制情報を通知され、余剰電力を発生する発電装置３０を「第１の発電装置３０」という。
【００３７】
以下、決定部１２による決定処理の例を説明する。図６に示すように、配電網は、開閉器により複数の区間に分けられている。図では、三角及び塗りつぶし四角により開閉器を示している。三角の開閉器は、開いた状態となっている。一方、塗りつぶし四角の開閉器は、閉じた状態となっている。
【００３８】
図では、配電網が、第１乃至第８の区間に分けられている。第１乃至第５の区間は、第１配電所から電力供給を受けている。第６乃至第８の区間は、第２配電所から電力供給を受けている。各区間には、複数の発電装置群及び蓄電装置群が接続されている。ある区間で配電事故が起きると、開閉器の開閉状態が切り替わり、事故が起きた区間が切り離される。
【００３９】
本実施形態の制御装置１０は、管理対象の複数の蓄電池２０及び管理対象の複数の発電装置３０各々が、いずれの区間に接続されているかを特定する情報を保持している。例えば、制御装置１０は、図７に示すように、各区間と、各区間に対応する住所とを対応付けた情報を保持しておいてもよい。そして、制御装置１０は、当該情報と、各蓄電池２０及び各発電装置３０の設置位置を示す情報（図４及び図５参照）とを用いて、各蓄電池２０及び各発電装置３０が接続されている区間を特定してもよい。
【００４０】
また、本実施形態の制御装置１０は、現時点で、複数の区間各々に電力を供給している配電所を特定する情報を保持している。例えば、制御装置１０は、図８に示すように、配電所と、各配電所が電力を供給している区間とを対応付けた情報を保持しておいてもよい。また、制御装置１０は、図６に示すような各区間の繋がり方を示す情報を保持しておいてもよい。
【００４１】
また、本実施形態の制御装置１０は、複数の蓄電池２０各々の属性情報を保持することができる。属性情報は、制御装置１０の管理者と、複数の蓄電池２０各々の管理者との間での決定事項が含まれる。例えば、制御装置１０による充電制御のため蓄電池２０で確保しておくよう決定された空き容量［Ｗｈ］や、制御装置１０による充電制御で制御可能な充電電力最大値［Ｗ］等が考えられる。
【００４２】
決定部１２は、以上の情報に基づき、制御対象蓄電池を決定する。具体的には、決定部１２は、第１の発電装置３０と同じ区間に接続されている蓄電池２０を、制御対象蓄電池として決定する。
【００４３】
例えば、上述した特定部１１は、区間毎に、各区間に接続されている第１の発電装置３０によるトータル余剰電力［Ｗ］の時間変化、及び、トータル余剰電力量［Ｗｈ］を算出する。トータル余剰電力［Ｗ］の時間変化は、複数の第１の発電装置３０各々の各タイミングにおける余剰電力［Ｗ］を、タイミングを合わせて足し合わせることで得られる。トータル余剰電力量［Ｗｈ］は、トータル余剰電力［Ｗ］の時間変化に基づき算出される。このトータル余剰電力［Ｗ］の時間変化、及び、トータル余剰電力量［Ｗｈ］が、蓄電池に充電させる充電電力［Ｗ］の時間変化、及び、充電量［Ｗｈ］として特定される。
【００４４】
決定部１２は、ある区間のトータル余剰電力［Ｗ］、及び、トータル余剰電力量［Ｗｈ］を充電させる蓄電池２０（制御対象蓄電池）として、その区間に接続されている蓄電池２０を決定する。
【００４５】
同じ区間に接続された蓄電池２０（制御対象蓄電池）により、上記トータル余剰電力分、及び、トータル余剰電力量分を充電しきれない場合、決定部１２は、その区間に電力を供給している配電所と同じ配電所から電力を供給されている他の区間に接続されている蓄電池２０を、制御対象蓄電としてさらに決定することができる。
【００４６】
ここで、「上記トータル余剰電力分、及び、トータル余剰電力量分を充電しきれない場合」は、例えば、「制御対象蓄電池各々の制御可能な充電電力最大値［Ｗ］の合計が発電抑制時間帯の中の何れかのタイミングにおける上記トータル余剰電力に満たない場合」、「制御対象蓄電池各々の制御可能な空き容量の最大値［Ｗｈ］の合計が上記トータル余剰電力量に満たない場合」等が考えられる。制御可能な充電電力最大値［Ｗ］は、各制御対象蓄電池の定格値であってもよいし、上述した蓄電池２０の属性情報に含まれる決定事項で示される値（制御装置１０による充電制御で制御可能な充電電力最大値［Ｗ］）であってもよい。また、制御可能な空き容量の最大値［Ｗｈ］は、各制御対象蓄電池の定格容量であってもよいし、上述した蓄電池２０の属性情報に含まれる決定事項で示される値（確保しておくよう決定された空き容量）であってもよい。
【００４７】
例えば、図６に示す第４区間のトータル余剰電力分、及び、トータル余剰電力量分を、第４区間に接続されている蓄電池２０（制御対象蓄電池）で充電しきれない場合、決定部１２は、第４区間と同じ配電所（図の場合、第１配電所）から電力供給を受ける第１、第２、第３及び第５区間の中のいずれかに接続されている蓄電池２０を、制御対象蓄電池としてさらに決定することができる。
【００４８】
この場合、決定部１２は、同じ配電所から電力を供給されている複数の区間の中の、余剰電力が発生している区間により近い区間に接続されている蓄電池２０を、他の蓄電池２０より優先的に制御対象蓄電池として決定してもよい。
【００４９】
例えば、上記例の場合、決定部１２は、第３及び第５区間に接続されている蓄電池２０を、第１及び第２区間に接続されている蓄電池２０より優先的に制御対象蓄電池として決定する。
【００５０】
ここで、「優先的に制御対象蓄電池として決定する」について説明する。上記例の場合、第４区間の蓄電池２０で充電しきれない分を、第１、第２、第３及び第５区間の中のいずれかに接続されている蓄電池２０で充電することとなる。第４区間の蓄電池２０で充電しきれない分の値によっては、必ずしも、第１、第２、第３及び第５区間に接続されているすべての蓄電池２０を制御対象蓄電池としなくてもよく、一部を制御対象蓄電池とすれば足りる場合がある。このような場合、決定部１２は、より近い区間に接続されている蓄電池２０から順に（優先的に）、制御対象蓄電池として決定する。
【００５１】
制御対象蓄電池を決定した後、決定部１２は、制御対象蓄電池各々の充電スケジュール（充電させる電力［Ｗ］の時間変化）を決定し、各制御対象蓄電池に通知することができる。例えば、各タイミングのトータル余剰電力［Ｗ］を、複数の制御対象蓄電池に均等に分割してもよい。その他、制御対象蓄電池の制御可能な充電電力最大値［Ｗ］や、制御可能な空き容量の最大値［Ｗｈ］の比率に基づき、各タイミングのトータル余剰電力［Ｗ］を、複数の制御対象蓄電池に按分してもよい。
【００５２】
次に、図９のフローチャートを用いて、本実施形態の制御装置１０の処理の流れの一例を説明する。
【００５３】
まず、特定部１１は、管理対象の発電装置３０の発電抑制情報及び発電予測に基づき、蓄電池２０に充電させる充電電力及び充電電力量を特定する（Ｓ１０）。
【００５４】
その後、決定部１２は、管理対象の複数の蓄電池２０の中から、Ｓ１０で特定した充電電力を充電させる蓄電池２０（制御対象蓄電池）を、発電装置３０との間の位置関係に基づき決定する（Ｓ１１）。
【００５５】
その後、決定部１２は、Ｓ１１で決定した制御対象蓄電池各々の充電スケジュールを決定し、各制御対象蓄電池に通知する（Ｓ１２）。
【００５６】
上記Ｓ１０乃至Ｓ１２の処理は、発電抑制情報で示される発電抑制時間帯の前に実施される。そして、発電抑制時間帯の間、制御対象蓄電池は、Ｓ１２で通知された充電スケジュールに従い、充電処理を実行する。また、発電抑制情報を通知された発電装置３０は、発電抑制を行うことなく、発電及び配電網への出力（逆潮流）を行う。
【００５７】
次に、図１１のフローチャートを用いて、Ｓ１１の処理の一例を説明する。
【００５８】
まず、図９のＳ１０では、特定部１１は、区間毎に、各区間に接続されている第１の発電装置３０によるトータル余剰電力［Ｗ］の時間変化、及び、トータル余剰電力量［Ｗｈ］を算出する。このトータル余剰電力［Ｗ］の時間変化、及び、トータル余剰電力量［Ｗｈ］が、蓄電池２０に充電させる充電電力［Ｗ］の時間変化、及び、充電量［Ｗｈ］となる。ここでは、特定部１１は、複数の区間の中の処理対象区間のトータル余剰電力［Ｗ］の時間変化、及び、トータル余剰電力量［Ｗｈ］を算出したとする。
【００５９】
決定部１２は、処理対象区間のトータル余剰電力分及びトータル余剰電力量分を充電させる蓄電池２０を決定する。まず、決定部１２は、処理対象区間に接続されている蓄電池２０を抽出する（Ｓ１１−１−１）。その後、決定部１２は、抽出した蓄電池２０で足りるか判断する（Ｓ１１−１−２）。
【００６０】
例えば、決定部１２は、「第１の条件：抽出した蓄電池２０の制御可能な充電電力最大値［Ｗ］の合計が各タイミングのトータル余剰電力［Ｗ］を上回る」、及び、「第２の条件：抽出した蓄電池２０の制御可能な空き容量の最大値［Ｗｈ］の合計がトータル余剰電力量［Ｗｈ］を上回る」を満たすか判断する。
【００６１】
第１及び第２の条件の両方を満たす場合、決定部１２は、抽出した蓄電池２０で足りると判断する。一方、少なくとも一方の条件を満たさない場合、決定部１２は、抽出した蓄電池２０で足りないと判断する。
【００６２】
足りると判断した場合（Ｓ１１−１−２のＹｅｓ）、その時点で抽出しているすべての蓄電池２０を制御対象蓄電として決定し（Ｓ１１−１−６）、Ｓ１１の処理を終了する。
【００６３】
一方、足りないと判断した場合（Ｓ１１−１−２のＮｏ）、決定部１２は、処理対象区間と同じ配電所から電力供給を受けている区間の中の、処理対象区間に最も近い区間に接続されている蓄電池２０をさらに抽出する（Ｓ１１−１−３）。その後、決定部１２は、抽出した蓄電池２０で足りるか判断する（Ｓ１１−１−４）。Ｓ１１−１−４の処理は、Ｓ１１−１−２の処理と同様である。
【００６４】
足りると判断した場合（Ｓ１１−１−４のＹｅｓ）、その時点で抽出しているすべての蓄電池２０を制御対象蓄電として決定し（Ｓ１１−１−６）、Ｓ１１の処理を終了する。
【００６５】
一方、足りないと判断した場合（Ｓ１１−１−４のＮｏ）、決定部１２は、処理対象区間と同じ配電所から電力供給を受けている区間の中の、処理対象区間に次に近い区間に接続されている蓄電池２０をさらに抽出する（Ｓ１１−１−５）。その後、決定部１２は、抽出した蓄電池２０で足りるか判断する（Ｓ１１−１−４）。以降、同様の処理を繰り返す。
【００６６】
次に、本実施形態の作用効果について説明する。余剰電力を広域に分散した複数の蓄電池２０で充電する技術においては、充電させる蓄電池２０を適切に選択しないと、次のような問題が発生し得る。例えば、上記充電処理により、配電網に供給される電力と配電網から消費される電力とのバランスは保たれるものの、余剰電力を配電網に供給した発電装置３０と、余剰電力分を充電した蓄電池２０との間の配電線において、電圧や周波数の変動が起こり得る。例えば、余剰電力を供給した発電装置３０の近辺では、電圧が相対的に高くなる傾向となる。また、余剰電力分を充電した蓄電池２０の近辺では、電圧が相対的に低くなる傾向となる。これらに伴い周波数が変動し得る。
【００６７】
電圧や周波数の変動は、様々な不都合を引き起こす。例えば、配電網の所定箇所の電圧が相対的に高くなることにより、そのあたりに接続されている発電装置３０から配電網への逆潮流ができない状態となり得る。また、周波数変動は当該電力で動作する電気機器に影響を及ぼし得る。
【００６８】
余剰電力を電力系統に供給する発電装置３０と、余剰電力分を充電する蓄電池２０との間の距離が離れている場合、上述のような電圧や周波数の変動が起こり得る範囲が広くなる。結果、上述のようは不都合が起こり得る範囲が広くなる。
【００６９】
以上、説明した本実施形態によれば、ある区間で発生した余剰電力分及び余剰電力量分を、その区間に接続されている蓄電池２０に充電することができる。余剰電力を発生している発電装置３０と同じ区間に接続されている蓄電池２０は、他の区間に接続されている蓄電池２０に比べて、配電網上で、余剰電力を発生している発電装置３０の近くに位置する可能性が高い。すなわち、本実施形態によれば、余剰電力を発生している発電装置３０の近くに位置する可能性が高い蓄電池２０に、余剰電力を充電させることができる。このため、電圧や周波数の変動が起こり得る範囲を狭くすることが可能となる。
【００７０】
また、ある区間で発生した余剰電力分及び余剰電力量分を、その区間に接続されている蓄電池２０に充電することで、効果的に、余剰電力による電圧や周波数の変動を軽減する（打ち消す）ことができる。
【００７１】
また、本実施形態によれば、ある区間で発生した余剰電力を、その区間に接続されている蓄電池２０で充電しきれない場合、その区間に電力を供給している配電所と同じ配電所から電力を供給されている区間に接続されている蓄電池２０に充電させることができる。このため、効果的に、余剰電力による電圧や周波数の変動を軽減する（打ち消す）ことができる。
【００７２】
また、この場合、余剰電力が発生している区間により近い区間に接続されている蓄電池２０に、優先的に充電させることができる。結果、効果的に、余剰電力による電圧や周波数の変動を軽減する（打ち消す）ことができる。また、電圧や周波数の変動が起こり得る範囲を狭くすることが可能となる。
【００７３】
また、本実施形態によれば、余剰電力を発生している発電装置３０の近く（例：同じ区間）に設置されている蓄電池２０に、余剰電力を充電することができる。このため、遠く離れた位置に設置されている蓄電池２０に充電する場合に比べて、余剰電力の送電ロスを少なくすることができる。結果、余剰電力の充電効率を高めることができる。
【００７４】
なお、ここでは、「予測発電電力／電力量」と「発電抑制情報」とに基づき蓄電池２０に充電させる電力／電力量を特定する例を説明したが、変形例として、「定格発電電力／定格発電電力量」と「発電抑制情報」とに基づき蓄電池２０に充電させる電力／電力量を特定してもよい。変形例の場合、定格発電電力から発電抑制時間帯の各タイミングで許される発電電力を引いた値が、各タイミングで蓄電池２０に充電させる電力となる。そして、定格発電電力量から発電抑制時間帯に許される発電電力量を引いた値が、蓄電池２０に充電させる電力量となる。定格発電電力量は、発電抑制時間帯の間、定格発電電力で発電し続けた場合の電力量である。各タイミングで許される発電電力及び発電抑制時間帯に許される発電電力量は、発電抑制情報に基づき特定される。当該変形例は、以下のすべての実施形態において同様である。
【００７５】
＜第２の実施形態＞
本実施形態の制御システムの全体像は、第１の実施形態と同様である。蓄電池２０及び発電装置３０の構成は、第１の実施形態と同様である。
【００７６】
図３に、制御装置１０の機能ブロック図の一例を示す。図示するように、制御装置１０は、特定部１１と、決定部１２とを有する。特定部１１の構成は、第１の実施形態と同様である。
【００７７】
決定部１２は、管理対象の複数の蓄電池２０の中から、充電させる制御対象蓄電池を、発電装置３０との間の位置関係（距離の大きさ）に基づき決定する。決定部１２は、制御対象蓄電池として、余剰電力を発生する第１の発電装置３０のより近くに設置されている蓄電池２０を、他の蓄電池２０より優先的に決定する。すなわち、決定部１２は、余剰電力を発生する第１の発電装置３０からの距離が近い順に、制御対象蓄電池を決定する。決定部１２は、図４及び図５に示すような、各蓄電池２０及び各発電装置３０の設置位置を示す情報に基づき、制御対象蓄電池を決定する。なお、本実施形態の場合、図６乃至図８に示すような、配電網の区間を示す情報は不要である。
【００７８】
例えば、決定部１２は、第１の発電装置３０の余剰電力分及び余剰電力量分を充電する制御対象蓄電池として、当該第１の発電装置３０の最も近くに設置されている蓄電池２０を決定する。例えば、決定部１２は、図４及び図５に示すような、各蓄電池２０及び各発電装置３０の設置位置を示す情報に基づき、直線距離で、第１の発電装置３０の最も近くに設置されている蓄電池２０を特定し、それを制御対象蓄電池として決定してもよい。そして、当該制御対象蓄電池で余剰電力分及び余剰電力量分を充電しきれない場合、設置位置が次に近い蓄電池２０を、さらに制御対象蓄電池として決定してもよい。
【００７９】
ところで、余剰電力及び余剰電力量を発生している発電装置３０が複数ある場合、決定部１２は、順次、１つの発電装置３０と複数の蓄電池２０との位置関係に基づき、各発電装置３０に対応して制御対象蓄電池を決定してもよい。この場合、決定部１２は、発生している余剰電力及び／又は余剰電力量が大きい順に複数の発電装置３０を処理対象とし、順に制御対象蓄電池を決定してもよい。各発電装置３０に対応する制御対象蓄電池を決定する処理は、上述の通り（例：各発電装置３０の設置位置からの距離が近い蓄電池２０から順番に制御対象蓄電池として決定）である。
【００８０】
他の例として、特定部１１は、複数の発電装置３０によるトータル余剰電力及びトータル余剰電力量を特定してもよい。そして、決定部１２は、複数の発電装置３０によるトータル余剰電力及びトータル余剰電力量を充電させる制御対象蓄電池を決定してもよい。この場合、決定部１２は、複数の発電装置３０に対して定められた所定位置と複数の蓄電池２０との位置関係に基づき、制御対象蓄電池を決定する。制御対象蓄電池を決定する処理は、上述の通り（例：複数の発電装置３０に対して定められた所定位置からの距離が近い蓄電池２０から順番に制御対象蓄電池として決定）である。
【００８１】
複数の発電装置３０に対して定められた所定位置は、例えば、複数の発電装置３０の設置位置の重心点（位置）としてもよい。その他、当該所定位置は、重み（複数の発電装置３０各々の余剰電力の大きさ）を考慮した重心点（位置）としてもよい。例えば、余剰電力の大きさに応じて決定された係数（余剰電力が大きい程、重みが大）を、各設置位置を示す座標に乗じ、上記重心点を算出してもよい。
【００８２】
次に、本実施形態の制御装置１０の処理の流れの一例を説明する。制御装置１０の処理の流れの全体像は、第１の実施形態で説明したものと同じである。以下、図１２のフローチャートを用いて、本実施形態におけるＳ１１の詳細を説明する。
【００８３】
まず、図９のＳ１０では、特定部１１は、発電装置３０毎に、余剰電力［Ｗ］の時間変化、及び、余剰電力量［Ｗｈ］を算出する。この余剰電力［Ｗ］の時間変化、及び、余剰電力量［Ｗｈ］が、蓄電池２０に充電させる充電電力［Ｗ］の時間変化、及び、充電量［Ｗｈ］として特定される。ここでは、特定部１１は、複数の発電装置３０の中の処理対象発電装置の余剰電力［Ｗ］の時間変化、及び、余剰電力量［Ｗｈ］を算出したとする。
【００８４】
決定部１２は、処理対象発電装置の近くに設置されている方からＬ個（Ｌは１以上の整数）の蓄電池２０を抽出する（Ｓ１１−２−１）。その後、決定部１２は、抽出した蓄電池２０で足りるか判断する（Ｓ１１−２−２）。
【００８５】
例えば、決定部１２は、「第１の条件：抽出した蓄電池２０の制御可能な充電電力最大値［Ｗ］の合計が各タイミングの余剰電力［Ｗ］を上回る」、及び、「第２の条件：抽出した蓄電池２０の制御可能な空き容量の最大値［Ｗｈ］の合計が余剰電力量［Ｗｈ］を上回る」を満たすか判断する。
【００８６】
第１及び第２の条件の両方を満たす場合、決定部１２は、抽出した蓄電池２０で足りると判断する。一方、少なくとも一方の条件を満たさない場合、決定部１２は、抽出した蓄電池２０で足りないと判断する。
【００８７】
足りると判断した場合（Ｓ１１−２−２のＹｅｓ）、その時点で抽出しているすべての蓄電池２０を制御対象蓄電として決定し（Ｓ１１−２−４）、Ｓ１１の処理を終了する。
【００８８】
一方、足りないと判断した場合（Ｓ１１−２−２のＮｏ）、決定部１２は、処理対象発電装置の近くに設置されている方からＰ個（Ｐは１以上の整数）の蓄電池２０をさらに抽出する（Ｓ１１−２−３）。その後、決定部１２は、抽出した蓄電池２０で足りるか判断する（Ｓ１１−２−２）。以降、同様の処理を繰り返す。
【００８９】
以上説明した本実施形態によれば、余剰電力を発生している発電装置３０の近くに設置されている蓄電池２０から順に制御対象蓄電池とする。設置位置が近い蓄電池２０は、配電網上の距離も上記発電装置３０の近くである可能性が高い。このため、本実施形態によれば、第１の実施形態と同様な作用効果を期待できる。
【００９０】
＜第３の実施形態＞
本実施形態の制御システムの全体像は、第１及び第２の実施形態と同様である。蓄電池２０及び発電装置３０の構成は、第１及び第２の実施形態と同様である。
【００９１】
図３に、制御装置１０の機能ブロック図の一例を示す。図示するように、制御装置１０は、特定部１１と、決定部１２とを有する。特定部１１の構成は、第１及び第２の実施形態と同様である。
【００９２】
決定部１２は、管理対象の複数の蓄電池２０の中から、充電させる制御対象蓄電池を、発電装置３０との間の位置関係に基づき決定する。本実施形態では、図１０に示すように、蓄電池２０及び発電装置３０が設置されるエリアは、住所に基づき複数の子エリアに分けられる。制御装置１０は、図１０に示すような情報を保持している。
【００９３】
そして、決定部１２は、制御対象蓄電池として、余剰電力を発生している第１の発電装置３０と同じ子エリアに設置されている蓄電池２０を決定する。
【００９４】
なお、決定部１２は、同じ子エリアに設置されている蓄電池２０でその子エリアのトータル余剰電力分及びトータル余剰電力量分を充電しきれない場合、他の子エリアに設置されている蓄電池２０をさらに制御対象蓄電池として決定してもよい。この場合、決定部１２は、より近い子エリアに設置されている蓄電池２０を、他の蓄電池２０より優先的に制御対象蓄電池として決定してもよい。
【００９５】
次に、本実施形態の制御装置１０の処理の流れの一例を説明する。制御装置１０の処理の流れの全体像は、第１の実施形態で説明したものと同じである。以下、図１３のフローチャートを用いて、本実施形態におけるＳ１１の詳細を説明する。
【００９６】
まず、図９のＳ１０では、特定部１１は、子エリア毎に、各子エリアに接続されている第１の発電装置３０によるトータル余剰電力［Ｗ］の時間変化、及び、トータル余剰電力量［Ｗｈ］を算出する。このトータル余剰電力［Ｗ］の時間変化、及び、トータル余剰電力量［Ｗｈ］が、蓄電池２０に充電させる充電電力［Ｗ］の時間変化、及び、充電量［Ｗｈ］となる。ここでは、特定部１１は、複数の子エリアの中の処理対象子エリアのトータル余剰電力［Ｗ］の時間変化、及び、トータル余剰電力量［Ｗｈ］を算出したとする。
【００９７】
決定部１２は、処理対象子エリアに設置されている蓄電池２０を抽出する（Ｓ１１−３−１）。その後、決定部１２は、抽出した蓄電池２０で足りるか判断する（Ｓ１１−３−２）。
【００９８】
例えば、決定部１２は、「第１の条件：抽出した蓄電池２０の制御可能な充電電力最大値［Ｗ］の合計が各タイミングのトータル余剰電力［Ｗ］を上回る」、及び、「第２の条件：抽出した蓄電池２０の制御可能な空き容量の最大値［Ｗｈ］の合計がトータル余剰電力量［Ｗｈ］を上回る」を満たすか判断する。
【００９９】
第１及び第２の条件の両方を満たす場合、決定部１２は、抽出した蓄電池２０で足りると判断する。一方、少なくとも一方の条件を満たさない場合、決定部１２は、抽出した蓄電池２０で足りないと判断する。
【０１００】
足りると判断した場合（Ｓ１１−３−２のＹｅｓ）、その時点で抽出しているすべての蓄電池２０を制御対象蓄電として決定し（Ｓ１１−３−６）、Ｓ１１の処理を終了する。
【０１０１】
一方、足りないと判断した場合（Ｓ１１−３−２のＮｏ）、決定部１２は、処理対象子エリアに最も近い子エリアに設置されている蓄電池２０をさらに抽出する（Ｓ１１−３−３）。その後、決定部１２は、抽出した蓄電池２０で足りるか判断する（Ｓ１１−３−４）。Ｓ１１−３−４の処理は、Ｓ１１−３−２の処理と同様である。
【０１０２】
足りると判断した場合（Ｓ１１−３−４のＹｅｓ）、その時点で抽出しているすべての蓄電池２０を制御対象蓄電として決定し（Ｓ１１−３−６）、Ｓ１１の処理を終了する。
【０１０３】
一方、足りないと判断した場合（Ｓ１１−３−４のＮｏ）、決定部１２は、処理対象子エリアに次に近い子エリアに設置されている蓄電池２０をさらに抽出する（Ｓ１１−３−５）。その後、決定部１２は、抽出した蓄電池２０で足りるか判断する（Ｓ１１−３−４）。以降、同様の処理を繰り返す。
【０１０４】
以上説明した本実施形態によれば、余剰電力を発生している発電装置３０と同じ子エリアに設置されている蓄電池２０を、制御対象蓄電池とすることができる。同じ子エリアに設置されている蓄電池２０は、配電網上の距離が上記発電装置３０の近くである可能性が高い。このため、本実施形態によれば、第１及び第２の実施形態と同様な作用効果を期待できる。
【０１０５】
＜第４の実施形態＞
本実施形態の制御システムの全体像は、第１乃至第３の実施形態と同様である。蓄電池２０及び発電装置３０の構成は、第１乃至第３の実施形態と同様である。
【０１０６】
図３に、制御装置１０の機能ブロック図の一例を示す。図示するように、制御装置１０は、特定部１１と、決定部１２とを有する。
【０１０７】
第１乃至第３の実施形態では、特定部１１は、発電抑制情報や発電予測に基づき、蓄電池２０に充電させる充電電力を特定した。本実施形態の特定部１１は、発電装置３０の発電実測値に基づき、蓄電池２０に充電させる充電電力及び蓄電池２０から出力させる出力電力を特定する。
【０１０８】
例えば、特定部１１は、発電実測値が発電目標値を上回る場合、その分（余剰電力）を蓄電池２０に充電させる電力として特定する。一方、発電実測値が発電目標値を下回る場合、その分（不足電力）を蓄電池２０から出力させる電力として特定する。発電目標値は、予め定められた固定値であってもよいし、発電実測値のＱ分（Ｑは設計的事項。例：１５分、３０分等）移動平均値であってもよい。
【０１０９】
一例として、特定部１１は、管理対象の発電装置３０各々から、発電実測値［Ｗ］をリアルタイムに取得する。そして、特定部１１は、当該発電実測値と上記発電目標値とに基づき、発電装置３０ごとに余剰電力及び／又は不足電力を算出する。その後、特定部１１は、第１の実施形態に順じ、区間毎に、各区間に接続されている発電装置３０の余剰電力及び／又は不足電力を足し合わせることで、トータル余剰電力［Ｗ］又はトータル不足電力［Ｗ］を算出する。このトータル余剰電力［Ｗ］又はトータル不足電力［Ｗ］が、蓄電池２０に充電させる充電電力又は出力させる出力電力として特定される。
【０１１０】
この例の場合、決定部１２は、第１の実施形態と同様にして、上記充電電力を充電させる蓄電池２０、又は、上記出力電力を出力させる蓄電池２０を決定する（図１１参照）。なお、Ｓ１１−１−２及びＳ１１−１−４においては、「第１の条件：抽出した蓄電池２０の制御可能な充電電力最大値［Ｗ］の合計が各タイミングのトータル余剰電力［Ｗ］を上回る」又は「第１´の条件：抽出した蓄電池２０の制御可能な出力電力最大値［Ｗ］の合計が各タイミングのトータル不足電力［Ｗ］を上回る」を判断する。制御可能な出力電力最大値［Ｗ］は、各制御対象蓄電池の定格値であってもよいし、制御装置１０の管理者と、複数の蓄電池２０各々の管理者との間での定められた決定事項であってもよい。かかる場合、制御装置１０は当該情報を予め記憶しておいてもよい。
【０１１１】
他の一例として、特定部１１は、発電装置３０毎に、発電実測値と上記発電目標値とに基づき、余剰電力［Ｗ］及び／又は不足電力［Ｗ］を算出してもよい。この余剰電力［Ｗ］又は不足電力［Ｗ］が、蓄電池２０に充電させる充電電力又は出力させる出力電力として特定される。
【０１１２】
この例の場合、決定部１２は、第２の実施形態と同様にして、上記充電電力を充電させる蓄電池２０、又は、上記出力電力を出力させる蓄電池２０を決定する（図１２参照）。なお、Ｓ１１−２−２においては、「第１の条件：抽出した蓄電池２０の制御可能な充電電力最大値［Ｗ］の合計が各タイミングの余剰電力［Ｗ］を上回る」又は「第１´の条件：抽出した蓄電池２０の制御可能な出力電力最大値［Ｗ］の合計が各タイミングの不足電力［Ｗ］を上回る」を判断する。
【０１１３】
この例において、余剰電力や不足電力を発生している発電装置３０が複数ある場合、決定部１２は、順次、１つの発電装置３０と複数の蓄電池２０との位置関係に基づき、各発電装置３０に対応して制御対象蓄電池を決定してもよい。この場合、決定部１２は、発生している余剰電力又は不足電力が大きい順に複数の発電装置３０を処理対象とし、順に制御対象蓄電池を決定してもよい。各発電装置３０に対応する制御対象蓄電池を決定する処理は、第２の実施形態で説明した通り（例：各発電装置３０の設置位置からの距離が近い蓄電池２０から順番に制御対象蓄電池として決定）である。
【０１１４】
また、特定部１１は、複数の発電装置３０によるトータル余剰電力又はトータル不足電力を特定してもよい。そして、決定部１２は、複数の発電装置３０によるトータル余剰電力分を充電させる制御対象蓄電池、又は、トータル不足電力分を出力させる制御対象蓄電池を決定してもよい。この場合、決定部１２は、複数の発電装置３０に対して定められた所定位置と複数の蓄電池２０との位置関係に基づき、制御対象蓄電池を決定する。制御対象蓄電池を決定する処理は、第２の実施形態で説明した通り（例：複数の発電装置３０に対して定められた所定位置からの距離が近い蓄電池２０から順番に制御対象蓄電池として決定）である。
【０１１５】
複数の発電装置３０に対して定められた所定位置は、例えば、複数の発電装置３０の設置位置の重心点（位置）としてもよい。その他、当該所定位置は、重み（複数の発電装置３０各々の余剰電力の大きさ、又は、不足電力の大きさ）を考慮した重心点（位置）としてもよい。例えば、余剰電力の大きさ又は不足電力の大きさに応じて決定された係数（余剰電力が大きい程、重みが大、又は、不足電力が大きい程、重みが大）を、各設置位置を示す座標に乗じ、上記重心点を算出してもよい。
【０１１６】
他の一例として、特定部１１は、当該発電実測値と上記発電目標値とに基づき、発電装置３０ごとに余剰電力及び／又は不足電力を算出した後、第３の実施形態に順じ、子エリア毎に、各子エリアに設置されている発電装置３０各々の余剰電力及び／又は不足電力を足し合わせることで、トータル余剰電力［Ｗ］又はトータル不足電力［Ｗ］を算出してもよい。このトータル余剰電力［Ｗ］又はトータル不足電力［Ｗ］が、蓄電池２０に充電させる充電電力又は出力させる出力電力として特定される。
【０１１７】
この例の場合、決定部１２は、第３の実施形態と同様にして、上記充電電力を充電させる蓄電池２０、又は、上記出力電力を出力させる蓄電池２０を決定する（図１３参照）。なお、Ｓ１１−３−２及びＳ１１−３−４においては、「第１の条件：抽出した蓄電池２０の制御可能な充電電力最大値［Ｗ］の合計が各タイミングのトータル余剰電力［Ｗ］を上回る」又は「第１´の条件：抽出した蓄電池２０の制御可能な出力電力最大値［Ｗ］の合計が各タイミングの不足電力［Ｗ］を上回る」を判断する。
【０１１８】
以上説明した本実施形態によれば、第１乃至第３の実施形態と同様な作用効果を実現できる。
【０１１９】
＜第５の実施形態＞
本実施形態の制御システムの全体像は、第１乃至第３の実施形態と同様である。蓄電池２０及び発電装置３０の構成は、第１乃至第３の実施形態と同様である。
【０１２０】
図３に、制御装置１０の機能ブロック図の一例を示す。図示するように、制御装置１０は、特定部１１と、決定部１２とを有する。
【０１２１】
特定部１１は、第１乃至第３の実施形態と同様な手法で、蓄電池に充電させる充電電力を特定する。
【０１２２】
決定部１２は、第１乃至第３の実施形態と同様な手法で、制御対象蓄電池を決定する（図１１乃至図１３参照）。
【０１２３】
さらに、決定部１２は、以下のような手法で、制御対象蓄電池を決定することができる。決定部１２は、制御対象蓄電池を決定する処理において、予め制御装置１０に登録されている電気自動車の保有者に対し、電気自動車を用いた充電処理の参加を募集する。当該募集では、充電処理を行う時間帯、充電量［Ｗｈ］、充電処理に使用する充電器、充電処理に対するインセンティブ等が示される。充電処理に使用する充電器は、トータル余剰電力が発生している区間に接続されているものや、トータル余剰電力が発生している子エリアに設置されているものや、余剰電力が発生している発電装置３０のより近くに設置されているものなどが、決定部１２により選択される。決定部１２は、予め、複数の充電器各々の設置位置を記憶しており、当該情報を用いて上記選択を実現する。また、各充電器の充電電力［Ｗ］を記憶しておいてもよい。当該募集は、電子メールや、ソーシャルメディアなどを介して、所定の対象に通知される。
【０１２４】
決定部１２は、上記募集への参加を表明したユーザの電気自動車を、制御対象蓄電池として決定する。そして、制御装置１０は、制御対象蓄電池として決定した電気自動車のユーザに対して、充電処理の要求を通知する。当該通知では、充電処理を行う時間帯、充電量［Ｗｈ］、充電処理に使用する充電器、充電処理に対するインセンティブ等が示される。
【０１２５】
決定部１２は、例えば、図１１のＳ１１−１−２でＮｏとなった後、かつ、Ｓ１１−１−３の前に、上記電気自動車を制御対象蓄電池として決定する処理を実行してもよい。そして、当該処理の後、Ｓ１１−１−２と同様の処理を行い、Ｎｏとなった場合、Ｓ１１−１−３に進んでもよい。
【０１２６】
その他、決定部１２は、例えば、図１１のＳ１１−１−４でＮ回目（Ｎは１以上の整数）のＮｏとなった後、かつ、Ｎ回目のＳ１１−１−５の前に、上記電気自動車を制御対象蓄電池として決定する処理を実行してもよい。そして、当該処理の後、Ｓ１１−１−４と同様の処理を行い、Ｎｏとなった場合、Ｎ回目のＳ１１−１−５に進んでもよい。
【０１２７】
その他、決定部１２は、例えば、図１２のＳ１１−２−２でＮ回目（Ｎは１以上の整数）のＮｏとなった後、かつ、Ｎ回目のＳ１１−２−３の前に、上記電気自動車を制御対象蓄電池として決定する処理を実行してもよい。そして、当該処理の後、Ｓ１１−２−２と同様の処理を行い、Ｎｏとなった場合、Ｎ回目のＳ１１−２−３に進んでもよい。
【０１２８】
その他、決定部１２は、例えば、図１３のＳ１１−３−２でＮｏとなった後、かつ、Ｓ１１−３−３の前に、上記電気自動車を制御対象蓄電池として決定する処理を実行してもよい。そして、当該処理の後、Ｓ１１−３−２と同様の処理を行い、Ｎｏとなった場合、Ｓ１１−３−３に進んでもよい。
【０１２９】
その他、決定部１２は、例えば、図１３のＳ１１−３−４でＮ回目（Ｎは１以上の整数）のＮｏとなった後、かつ、Ｎ回目のＳ１１−３−５の前に、上記電気自動車を制御対象蓄電池として決定する処理を実行してもよい。そして、当該処理の後、Ｓ１１−３−４と同様の処理を行い、Ｎｏとなった場合、Ｎ回目のＳ１１−３−５に進んでもよい。
【０１３０】
本実施形態によれば、電気自動車をさらに用いて、余剰電力を充電できる。電気自動車は移動可能であるので、余剰電力が発生している区間に接続されている充電器や、余剰電力が発生している子エリアに設置されている充電器、余剰電力が発生している発電装置３０のより近くに設置されている充電器を用いて、充電を行うことができる。このため、第１乃至第３の実施形態と同様な作用効果を実現できる。
【０１３１】
＜適用例＞
図１４を用いて、本実施形態の制御装置１０の適用例を説明する。各ＩＰＰ（独立系発電事業者）４０は、１つ又は複数の発電装置３０を管理する。各ＰＰＳ（特定規模電気事業者）は、１つ又は複数の蓄電池２０を管理する。
【０１３２】
制御装置１０は、ＲＡ（リソースアグリゲータ）により管理される。ＲＡは、ＩＰＰ４０が受けた出力抑制に対して、出力抑制を回避できるサービスを提供する。ＩＰＰ４０は、当該サービスを受けるため、ＲＡと契約する。また、ＲＡは、ＰＰＳとの間で、上記サービスのために蓄電池２０の充放電を制御する契約を行う。
【０１３３】
ＲＡは、ＩＰＰ４０各々に通知された発電抑制情報を取得する。ＲＡは、各ＩＰＰ４０から発電抑制情報を取得してもよいし、配電網の管理者から各ＩＰＰ４０の発電抑制情報を取得してもよい。例えば、前日に、翌日分の発電抑制情報が通知される。
【０１３４】
ＲＡの制御装置１０は、第１乃至第３、及び、第５の実施形態で説明した手法で、蓄電池２０に充電させる充電電力を特定し（特定部１１）、発電装置３０との位置関係に基づき、複数の蓄電池２０の中から制御対象蓄電池を決定する（決定部１２）。また、制御装置１０は、決定した制御対象蓄電池各々の発電抑制時間帯における充電スケジュールを決定し、各制御対象蓄電池を管理するＰＰＳ５０に通知する。ここまでの処理を、発電抑制情報で示される発電抑制時間帯の前に行う。
【０１３５】
ＰＰＳ５０は、蓄電池２０を制御し、発電抑制時間帯の間、通知された充電スケジュールに従った充電処理を実行させる。蓄電池２０は、配電網から電力供給を受け、電力を充電する。また、ＩＰＰ４０は、発電抑制時間帯の間も、発電抑制情報に従った発電抑制を実行することなく、発電及び配電網への供給（逆潮流）を実行する。
【０１３６】
以下、参考形態の例を付記する。
１．  発電装置の発電電力に基づき、蓄電池に充電させる充電電力及び／又は前記蓄電池に出力させる出力電力を特定する特定手段と、
前記発電装置と複数の前記蓄電池との位置関係に基づき、前記充電電力を充電させる及び／又は前記出力電力を出力させる前記蓄電池である制御対象蓄電池を決定する決定手段とを有する制御装置。
２．  １に記載の制御装置において、
前記決定手段は、前記発電装置と前記複数の蓄電池それぞれとの間の距離の大きさに基づいて、前記制御対象蓄電池を決定する制御装置。
３．  １または２に記載の制御装置において、
前記決定手段は、前記発電装置と前記複数の蓄電池それぞれとの間の距離が近い順に、前記制御対象蓄電池を決定する制御装置。
４．  １に記載の制御装置において、
前記決定手段は、前記発電装置が複数ある場合、複数の前記発電装置に対して定められた所定位置と複数の前記蓄電池との位置関係に基づき、前記制御対象蓄電池を決定する制御装置。
５．  ４に記載の制御装置において、
前記所定位置は、前記複数の発電装置ごとの余剰電力または不足電力の大きさに基づいて定められている制御装置。
６．  １に記載の制御装置において、
前記決定手段は、前記発電装置が複数ある場合、順次、１つの前記発電装置と前記複数の蓄電池との位置関係に基づき、前記制御対象蓄電池を決定する制御装置。
７．  ６に記載の制御装置において、
前記決定手段は、前記複数の発電装置ごとの余剰電力または不足電力の大きさの順に、前記制御対象蓄電池を決定する制御装置。
８．  １から７のいずれかに記載の制御装置において、
前記発電装置や前記蓄電池が接続する配電網は、開閉器により複数の区間に分けられており、
前記決定手段は、前記発電装置が接続する前記区間と前記蓄電池が接続する前記区間との位置関係に基づいて制御対象蓄電池を決定する制御装置。
９．  ８に記載の制御装置において、
前記決定手段は、前記発電装置と同じ前記区間に接続されている前記蓄電池を前記制御対象蓄電池として決定する制御装置。
１０．  ８に記載の制御装置において、
前記決定手段は、前記発電装置が接続している区間とは異なる区間に接続されている前記蓄電池を前記制御対象蓄電池として決定する制御装置。
１１．  １０に記載の制御装置において、
前記決定手段は、前記発電装置が接続されている前記区間に電力を供給している配電所と同じ配電所から電力を供給されている区間に接続されている前記蓄電池を前記制御対象蓄電池として決定する制御装置。
１２．  １０に記載の制御装置において、
前記決定手段は、前記発電装置が接続されている前記区間との距離が近い区間に接続する前記蓄電池から順に前記制御対象蓄電池として決定する制御装置。
１３．  １に記載の制御装置において、
前記発電装置及び前記蓄電池が設置されるエリアは、住所に基づき複数の子エリアに分けられており、
前記決定手段は、前記発電装置と同じ前記子エリアに設置されている前記蓄電池を前記制御対象蓄電池として決定する制御装置。
１４．  複数の蓄電池を管理する制御装置において実行される制御方法であり、
発電装置の発電電力に基づき、蓄電池に充電させる充電電力及び／又は前記蓄電池に出力させる出力電力を特定し、
前記発電装置と複数の前記蓄電池との位置関係に基づき、前記充電電力を充電させる及び／又は前記出力電力を出力させる前記蓄電池である制御対象蓄電池を決定する制御方法。
１５．  コンピュータが、
発電装置の発電電力に基づき、蓄電池に充電させる充電電力及び／又は前記蓄電池に出力させる出力電力を特定し、
複数の前記蓄電池の中から、前記充電電力を充電させる及び／又は前記出力電力を出力させる前記蓄電池である制御対象蓄電池を、前記発電装置との間の位置関係に基づき決定するプログラム。
【０１３７】
この出願は、２０１６年３月２３日に出願された日本出願特願２０１６−０５８００２号を基礎とする優先権を主張し、その開示の全てをここに取り込む。
【図１】
2017163655.tif 000003
【図２】
2017163655.tif 000004
【図３】
2017163655.tif 000005
【図４】
2017163655.tif 000006
【図５】
2017163655.tif 000007
【図６】
2017163655.tif 000008
【図７】
2017163655.tif 000009
【図８】
2017163655.tif 000010
【図９】
2017163655.tif 000011
【図１０】
2017163655.tif 000012
【図１１】
2017163655.tif 000013
【図１２】
2017163655.tif 000014
【図１３】
2017163655.tif 000015
【図１４】
2017163655.tif 000016
【国際調査報告】
2017163655.tif 000017
2017163655.tif 000018